(57)【要約】【課題】本発明は高さと角度を調整できるアルミ合金支持台を開示した。【解決手段】装置本体と、前記装置本体の中に設置される固定装置と、前記装置本体の中に設置される旋転装置とを含み、前記高度調整装置は前記装置本体の中に設置される左右対称の第一回転キャビティを含み、前記第一回転キャビティの中には回転できる第一回転軸が設置され、左側の前記第一回転軸の左端には第一モータが動力で係合接続され、前記第一回転軸の右端には回転できる第一ギアが固定接続され、前記第一ギアの下端には回転できる第二ギアが噛合係合接続され、前記第二ギアの後端には回転できる第三ギアが噛合係合接続され、本装置は使用と組立に際してはかなり簡易で霊活であり、ねじを使わなくても固定でき、且つ需要に応じて高さを調整でき、360度で角度を調整でき、本装置は組み立てる時にあり得る困りを考慮するし、使用する時の便利さも実現する。【選択図】図1
2020070916.tif 000002
【特許請求の範囲】
【請求項１】
装置本体と、前記装置本体の中に設置される高度調整装置と、前記装置本体の中に設置される固定装置と、前記装置本体の中に設置される旋転装置とを含み、前記高度調整装置は前記装置本体の中に設置される左右対称の第一回転キャビティを含み、前記第一回転キャビティの中には回転できる第一回転軸が設置され、左側の前記第一回転軸の左端には第一モータが動力で係合接続され、前記第一回転軸の右端には回転できる第一ギアが固定接続され、前記第一ギアの下端には回転できる第二ギアが噛合係合接続され、前記第二ギアの後端には回転できる第三ギアが噛合係合接続され、前記第三ギアの軸心のところには回転できる第二回転軸が固定接続され、前記第二回転軸の後端がベルトにより動力で係合接続され、前記第一回転キャビティの下側内壁の中には第一ネジ山キャビティが設置され、前記第一ネジ山キャビティの中には回転できる第一スリーブが螺合接続され、前記第二ギアの軸心のところには下端が前記第一スリーブと固定接続され且つ回転できる第三回転軸が固定接続され、前記第一スリーブの中には第二ネジ山キャビティが設置され、前記第一ネジ山キャビティの下側内壁の中には上下に貫通した且つ前記第二ネジ山キャビティと位置合わせの第一スルーホールが設置され、前記第二ネジ山キャビティの中には下端が前記第一スルーホールの中に延伸し且つ上下にスライドできるボルトが螺合接続され、前記第一スルーホールの外側には下方に開口し且つ環状に配列された第一凹溝が連通して設置され、前記ボルトのうち下側位置に近接するところには環状に配列され且つ前記第一凹溝の中に延伸するサポートブロックが固定接続され、前記第一ネジ山キャビティの近接し合う側の内壁には下方に開口した第二凹溝が内設され、前記第二凹溝の中には前記サポートブロックと固定接続されるストッパが設置され、前記第一ネジ山キャビティの間の内壁の中には補助昇降装置が設置され、さらなる技術プラントして、前記補助昇降装置は前記第一ネジ山キャビティの間の内壁に内設される第一スライドキャビティを含み、前記第一スライドキャビティの中には上下にスライドでき且つ左端に歯形が付く第一スライダが設置され、前記第一スライドキャビティの右側内壁の中には第二スライドキャビティが内設され、前記第二スライドキャビティの中には上下にスライドできる第二スライダが設置され、前記第二スライダの中には第二モータが固設され、前記第二スライドキャビティの上側には第二回転キャビティが連通して設置され、前記第二モータの上端には上端が前記第二回転キャビティの中に延伸する第四回転軸が動力で係合接続され、前記第四回転軸の上端には回転できる第四ギアが固定接続され、前記第二スライドキャビティと前記第二凹溝との間には第二スルーホールが連通して設置され、前記第二スライダの下端には他端が延伸して前記第二スルーホールを貫通し且つ前記ストッパと固定接続する第三スライダが固定接続され、前記第二スライドキャビティの後側内壁の中には前方に開口した第三凹溝が設置され、前記第三凹溝の中には前端が前記第二スライドキャビティの中に延伸し且つ前記第四ギアと噛み合える第五ギアが設置され、前記第三凹溝の下側内壁の中には第三回転キャビティが設置され、前記第五ギアの軸心のところには下端が前記第三回転キャビティの中に延伸する第五回転軸が固定接続され、前記第五回転軸の下端には回転できる第六ギアが固定接続され、前記第六ギアの後端には回転できる第七ギアが噛合係合接続され、前記第七ギアの後側内壁の中には第一伝動キャビティが設置され、前記第七ギアの軸心のところには前記第一伝動キャビティの中に延伸し且つ回転できる第六回転軸が固定接続され、前記第一スライドキャビティの左側には第四回転キャビティが連通して設置され、前記第四回転キャビティの中には前記第一スライダの左端の歯形と噛み合う第八ギアが設置され、前記第八ギアの軸心のところには前記第一伝動キャビティの中に延伸する第七回転軸が固定接続され、前記第七回転軸のうち前記第一伝動キャビティの中に位置する部分と、前記第六回転軸のうち前記第一伝動キャビティの中に位置する部分とがベルトを通じて動力で係合接続され、さらなる技術プラントして、前記固定装置は前記装置本体の上側に設置される回転できる第一作業ブロックを含み、前記第一作業ブロックの中には上方に開口した第四凹溝が内設され、前記第四凹溝の下側内壁の中には上方に開口した第五凹溝が内設され、前記第五凹溝の左側内壁の中には第三モータが固設され、前記第三モータの右端には前記第五凹溝の中に延伸するリードスクリューが動力で係合接続され、前記第五凹溝の中には下端が前記リードスクリューと螺合接続され且つ上端が前記第四凹溝の中に延伸し且つ左右にスライドできる第四スライダが左右対称で設置され、前記第四スライダの上端には固定クランプブロックが固定接続され、さらなる技術プラントして、前記旋転装置は前記第一作業ブロックの下端に固定接続され且つ前記第一スライダと回転式に固定接続される第八回転軸を含み、前記第一スライドキャビティの外側には上方に開口した環状溝が設置され、前記第八回転軸のうち前記第一スライダの中に位置する部分の外側には前記環状溝と連通する環状穴が連通して設置され、前記第八回転軸には前記環状穴を貫通して前記環状溝の中に延伸する第九ギアが固定接続され、前記環状溝の右側内壁の中には左方に開口した第六凹溝が内設され、前記第六凹溝の中には前記第九ギアと噛合係合接続される第十ギアが設置され、前記第十ギアの軸心のところには前記第二回転キャビティの中に延伸する第九回転軸が固定接続され、前記第九回転軸の下端には左端が前記第四ギアと噛合係合接続される第十一ギアが固定接続されることを特徴とする高さと角度を調整できるアルミ合金支持台である。
【発明の詳細な説明】
【技術分野】
【０００１】
本発明は生活用具技術分野に関わり、具体的には高さと角度を調整できるアルミ合金支持台である。
【背景技術】
【０００２】
現在の市場でのアルミ合金支持台は種類が様々あり、サビが出にくい上で軽くて、使用や取付にはからり便利であり、しかし、現有のアルミ合金支持台の大部分が柔軟度が不足で、重くはないが、その上におかれている物品と組み合わせたら一般に重くなり、この時その高さを調整するには不便があり、使用する時には角度の調整が難しく、また、大部分のアルミ合金支持台と物品との間にはボルト等の組立部品がなければ固定できず、取付する時に失敗しやすく、物品が落下して安全事故を致すこともあり、安全度が低く、かなりの安全リスクが存在しており、したがって、取り付けした後で柔軟に位置を調整でき且つ角度を調整でき、よりきつく固定でき且つ便利な高さと角度を調整できるアルミ合金支持台が実に必要である。
【先行技術文献】
【特許文献】
【０００３】
【特許文献１】中国特許出願公開第107458990号明細書
【発明の概要】
【発明が解決しようとする課題】
【０００４】
本発明の目的は高さと角度を調整できるアルミ合金支持台を提供し、現存技術の上記した欠点を補うことである。
【課題を解決するための手段】
【０００５】
本発明の高さと角度を調整できるアルミ合金支持台は、装置本体と、前記装置本体の中に設置される高度調整装置と、前記装置本体の中に設置される固定装置と、前記装置本体の中に設置される旋転装置とを含む。
【０００６】
さらなる技術プラントして、前記高度調整装置は前記装置本体の中に設置される左右対称の第一回転キャビティを含み、前記第一回転キャビティの中には回転できる第一回転軸が設置され、左側の前記第一回転軸の左端には第一モータが動力で係合接続され、前記第一回転軸の右端には回転できる第一ギアが固定接続され、前記第一ギアの下端には回転できる第二ギアが噛合係合接続され、前記第二ギアの後端には回転できる第三ギアが噛合係合接続され、前記第三ギアの軸心のところには回転できる第二回転軸が固定接続され、前記第二回転軸の後端がベルトにより動力で係合接続され、前記第一回転キャビティの下側内壁の中には第一ネジ山キャビティが設置され、前記第一ネジ山キャビティの中には回転できる第一スリーブが螺合接続され、前記第二ギアの軸心のところには下端が前記第一スリーブと固定接続され且つ回転できる第三回転軸が固定接続され、前記第一スリーブの中には第二ネジ山キャビティが設置され、前記第一ネジ山キャビティの下側内壁の中には上下に貫通した且つ前記第二ネジ山キャビティと位置合わせの第一スルーホールが設置され、前記第二ネジ山キャビティの中には下端が前記第一スルーホールの中に延伸し且つ上下にスライドできるボルトが螺合接続され、前記第一スルーホールの外側には下方に開口し且つ環状に配列された第一凹溝が連通して設置され、前記ボルトのうち下側位置に近接するところには環状に配列され且つ前記第一凹溝の中に延伸するサポートブロックが固定接続され、前記第一ネジ山キャビティの近接し合う側の内壁には下方に開口した第二凹溝が内設され、前記第二凹溝の中には前記サポートブロックと固定接続されるストッパが設置され、前記第一ネジ山キャビティの間の内壁の中には補助昇降装置が設置される。
【０００７】
さらなる技術プラントして、前記補助昇降装置は前記第一ネジ山キャビティの間の内壁に内設される第一スライドキャビティを含み、前記第一スライドキャビティの中には上下にスライドでき且つ左端に歯形が付く第一スライダが設置され、前記第一スライドキャビティの右側内壁の中には第二スライドキャビティが内設され、前記第二スライドキャビティの中には上下にスライドできる第二スライダが設置され、前記第二スライダの中には第二モータが固設され、前記第二スライドキャビティの上側には第二回転キャビティが連通して設置され、前記第二モータの上端には上端が前記第二回転キャビティの中に延伸する第四回転軸が動力で係合接続され、前記第四回転軸の上端には回転できる第四ギアが固定接続され、前記第二スライドキャビティと前記第二凹溝との間には第二スルーホールが連通して設置され、前記第二スライダの下端には他端が延伸して前記第二スルーホールを貫通し且つ前記ストッパと固定接続する第三スライダが固定接続され、前記第二スライドキャビティの後側内壁の中には前方に開口した第三凹溝が設置され、前記第三凹溝の中には前端が前記第二スライドキャビティの中に延伸し且つ前記第四ギアと噛み合える第五ギアが設置され、前記第三凹溝の下側内壁の中には第三回転キャビティが設置され、前記第五ギアの軸心のところには下端が前記第三回転キャビティの中に延伸する第五回転軸が固定接続され、前記第五回転軸の下端には回転できる第六ギアが固定接続され、前記第六ギアの後端には回転できる第七ギアが噛合係合接続され、前記第七ギアの後側内壁の中には第一伝動キャビティが設置され、前記第七ギアの軸心のところには前記第一伝動キャビティの中に延伸し且つ回転できる第六回転軸が固定接続され、前記第一スライドキャビティの左側には第四回転キャビティが連通して設置され、前記第四回転キャビティの中には前記第一スライダの左端の歯形と噛み合う第八ギアが設置され、前記第八ギアの軸心のところには前記第一伝動キャビティの中に延伸する第七回転軸が固定接続され、前記第七回転軸のうち前記第一伝動キャビティの中に位置する部分と、前記第六回転軸のうち前記第一伝動キャビティの中に位置する部分とがベルトを通じて動力で係合接続されている。
【０００８】
さらなる技術プラントして、前記固定装置は前記装置本体の上側に設置される回転できる第一作業ブロックを含み、前記第一作業ブロックの中には上方に開口した第四凹溝が内設され、前記第四凹溝の下側内壁の中には上方に開口した第五凹溝が内設され、前記第五凹溝の左側内壁の中には第三モータが固設され、前記第三モータの右端には前記第五凹溝の中に延伸するリードスクリューが動力で係合接続され、前記第五凹溝の中には下端が前記リードスクリューと螺合接続され且つ上端が前記第四凹溝の中に延伸し且つ左右にスライドできる第四スライダが左右対称で設置され、前記第四スライダの上端には固定クランプブロックが固定接続される。
【０００９】
さらなる技術プラントして、前記旋転装置は前記第一作業ブロックの下端に固定接続され且つ前記第一スライダと回転式に固定接続される第八回転軸を含み、前記第一スライドキャビティの外側には上方に開口した環状溝が設置され、前記第八回転軸のうち前記第一スライダの中に位置する部分の外側には前記環状溝と連通する環状穴が連通して設置され、前記第八回転軸には前記環状穴を貫通して前記環状溝の中に延伸する第九ギアが固定接続され、前記環状溝の右側内壁の中には左方に開口した第六凹溝が内設され、前記第六凹溝の中には前記第九ギアと噛合係合接続される第十ギアが設置され、前記第十ギアの軸心のところには前記第二回転キャビティの中に延伸する第九回転軸が固定接続され、前記第九回転軸の下端には左端が前記第四ギアと噛合係合接続される第十一ギアが固定接続される。
【発明の効果】
【００１０】
本発明の有益効果は：本発明は構造が簡単で、操作が便利で、使用と組立に際してはかなり簡易で霊活であり、ねじを使わなくても固定でき、且つ需要に応じて高さを調整でき、360度で角度を調整でき、本装置は組み立てる時にあり得る困りを考慮するし、使用する時の便利さも実現する。
【図面の簡単な説明】
【００１１】
【図１】図1は本発明の高さと角度を調整できるアルミ合金支持台の内部全体構造見取り図である。
【図２】図2は本発明の図１のA-A方向の断面図である。
【図３】図3は本発明の図１のB-B方向の断面図である。
【発明を実施するための形態】
【００１２】
下記に図1~3を合わせて本発明について詳しく説明します。説明を便利にさせるように、ここで下記の方位に規定します：下記の上下左右前後という方向は図1の自身の投影関係の上下左右前後の方向と一致します。
【００１３】
図1~3を参照し、本発明の実施例における高さと角度を調整できるアルミ合金支持台は、装置本体10と、前記装置本体10の中に設置される高度調整装置と、前記装置本体10の中に設置される固定装置と、前記装置本体10の中に設置される旋転装置とを含む。
【００１４】
有益なまた例を示すように、前記高度調整装置は前記装置本体10の中に設置される左右対称の第一回転キャビティ11を含み、前記第一回転キャビティ11の中には回転できる第一回転軸13が設置され、左側の前記第一回転軸13の左端には第一モータ12が動力で係合接続され、前記第一回転軸13の右端には回転できる第一ギア14が固定接続され、前記第一ギア14の下端には回転できる第二ギア15が噛合係合接続され、前記第二ギア15の後端には回転できる第三ギア16が噛合係合接続され、前記第三ギア16の軸心のところには回転できる第二回転軸17が固定接続され、前記第二回転軸17の後端がベルトにより動力で係合接続され、前記第一回転キャビティ11の下側内壁の中には第一ネジ山キャビティ18が設置され、前記第一ネジ山キャビティ18の中には回転できる第一スリーブ20が螺合接続され、前記第二ギア15の軸心のところには下端が前記第一スリーブ20と固定接続され且つ回転できる第三回転軸19が固定接続され、前記第一スリーブ20の中には第二ネジ山キャビティ21が設置され、前記第一ネジ山キャビティ18の下側内壁の中には上下に貫通した且つ前記第二ネジ山キャビティ21と位置合わせの第一スルーホール23が設置され、前記第二ネジ山キャビティ21の中には下端が前記第一スルーホール23の中に延伸し且つ上下にスライドできるボルト22が螺合接続され、前記第一スルーホール23の外側には下方に開口し且つ環状に配列された第一凹溝24が連通して設置され、前記ボルト22のうち下側位置に近接するところには環状に配列され且つ前記第一凹溝24の中に延伸するサポートブロック25が固定接続され、前記第一ネジ山キャビティ18の近接し合う側の内壁には下方に開口した第二凹溝27が内設され、前記第二凹溝27の中には前記サポートブロック25と固定接続されるストッパ26が設置され、前記第一ネジ山キャビティ18の間の内壁の中には補助昇降装置が設置される。
【００１５】
有益なまた例を示すように、前記補助昇降装置は前記第一ネジ山キャビティ18の間の内壁に内設される第一スライドキャビティ35を含み、前記第一スライドキャビティ35の中には上下にスライドでき且つ左端に歯形が付く第一スライダ36が設置され、前記第一スライドキャビティ35の右側内壁の中には第二スライドキャビティ37が内設され、前記第二スライドキャビティ37の中には上下にスライドできる第二スライダ38が設置され、前記第二スライダ38の中には第二モータ39が固設され、前記第二スライドキャビティ37の上側には第二回転キャビティ45が連通して設置され、前記第二モータ39の上端には上端が前記第二回転キャビティ45の中に延伸する第四回転軸40が動力で係合接続され、前記第四回転軸40の上端には回転できる第四ギア41が固定接続され、前記第二スライドキャビティ37と前記第二凹溝27との間には第二スルーホール43が連通して設置され、前記第二スライダ38の下端には他端が延伸して前記第二スルーホール43を貫通し且つ前記ストッパ26と固定接続する第三スライダ44が固定接続され、前記第二スライドキャビティ37の後側内壁の中には前方に開口した第三凹溝46が設置され、前記第三凹溝46の中には前端が前記第二スライドキャビティ37の中に延伸し且つ前記第四ギア41と噛み合える第五ギア42が設置され、前記第三凹溝46の下側内壁の中には第三回転キャビティ47が設置され、前記第五ギア42の軸心のところには下端が前記第三回転キャビティ47の中に延伸する第五回転軸48が固定接続され、前記第五回転軸48の下端には回転できる第六ギア49が固定接続され、前記第六ギア49の後端には回転できる第七ギア50が噛合係合接続され、前記第七ギア50の後側内壁の中には第一伝動キャビティ51が設置され、前記第七ギア50の軸心のところには前記第一伝動キャビティ51の中に延伸し且つ回転できる第六回転軸52が固定接続され、前記第一スライドキャビティ35の左側には第四回転キャビティ53が連通して設置され、前記第四回転キャビティ53の中には前記第一スライダ36の左端の歯形と噛み合う第八ギア55が設置され、前記第八ギア55の軸心のところには前記第一伝動キャビティ51の中に延伸する第七回転軸54が固定接続され、前記第七回転軸54のうち前記第一伝動キャビティ51の中に位置する部分と、前記第六回転軸52のうち前記第一伝動キャビティ51の中に位置する部分とがベルトを通じて動力で係合接続されている。
【００１６】
有益なまた例を示すように、前記固定装置は前記装置本体10の上側に設置される回転できる第一作業ブロック28を含み、前記第一作業ブロック28の中には上方に開口した第四凹溝29が内設され、前記第四凹溝29の下側内壁の中には上方に開口した第五凹溝30が内設され、前記第五凹溝30の左側内壁の中には第三モータ31が固設され、前記第三モータ31の右端には前記第五凹溝30の中に延伸するリードスクリュー32が動力で係合接続され、前記第五凹溝30の中には下端が前記リードスクリュー32と螺合接続され且つ上端が前記第四凹溝29の中に延伸し且つ左右にスライドできる第四スライダ33が左右対称で設置され、前記第四スライダ33の上端には固定クランプブロック34が固定接続される。
【００１７】
有益なまた例を示すように、前記旋転装置は前記第一作業ブロック28の下端に固定接続され且つ前記第一スライダ36と回転式に固定接続される第八回転軸57を含み、前記第一スライドキャビティ35の外側には上方に開口した環状溝58が設置され、前記第八回転軸57のうち前記第一スライダ36の中に位置する部分の外側には前記環状溝58と連通する環状穴59が連通して設置され、前記第八回転軸57には前記環状穴59を貫通して前記環状溝58の中に延伸する第九ギア60が固定接続され、前記環状溝58の右側内壁の中には左方に開口した第六凹溝61が内設され、前記第六凹溝61の中には前記第九ギア60と噛合係合接続される第十ギア62が設置され、前記第十ギア62の軸心のところには前記第二回転キャビティ45の中に延伸する第九回転軸64が固定接続され、前記第九回転軸64の下端には左端が前記第四ギア41と噛合係合接続される第十一ギア63が固定接続される。
【００１８】
本装置は作動する時、物品を第四凹溝29の中に置き、第三モータ31を起動し、第三モータ31がリードスクリュー32を動かして回転させ、リードスクリュー32が回転して第四スライダ33を動かして相互に近接させ、第四スライダ33が固定クランプブロック34を動かして接近させて物品をきつく挟んで固定させ、第二モータ39を起動し、第二モータ39が第四回転軸40を動かして回転させ、第四回転軸40が第四ギア41を動かして回転させ、第四ギア41が第十一ギア63を動かして回転させ、前記第十一ギア63が第九回転軸64を動かして回転させ、第九回転軸64が第十ギア62を動かして回転させ、第十ギア62が第九ギア60を動かして回転させ、第九ギア60が第八回転軸57を動かして回転させ、第八回転軸57が第一作業ブロック28を動かして回転させ、これにより第一スライダ36が360度で角度の調整ができ、高さが十分でないと、第一モータ12を起動し、第一モータ12が左側の第一回転軸13を動かして回転させ、左側の第一回転軸13が左側の第二ギア15を動かして回転させ、左側の第二ギア15が左側の第三ギア16を動かして回転させ、左側の第三ギア16が左側の第二回転軸17を動かして回転させ、左側の第二回転軸17が右側の第二回転軸17を動かして回転させ、右側の第二回転軸17が右側の第三ギア16を動かして回転させ、右側の第三ギア16が右側の第二ギア15を動かして回転させ、第二ギア15が回転して第一スリーブ20を動かして回転させ、第一スリーブ20が回転してボルト22を動かして下へスライドさせ、ボルト22が第一凹溝24とストッパ26とを動かして下へスライドさせて装置を突き上げ、装置を上昇させ、第二凹溝27が下へスライドして第三スライダ44を動かして下へスライドさせ、第三スライダ44が下へスライドして第二スライダ38を動かして下へスライドさせ、第二スライダ38が下へスライドして第四ギア41を動かして下へスライドさせ、第二凹溝27が一番下端のところまで着く時、第四ギア41と第五ギア42とが噛み合い、第二モータ39を起動し、第二モータ39が第四回転軸40を動かして回転させ、第四回転軸40が第四ギア41を動かして回転させ、第四ギア41が第五ギア42を動かして回転させ、第五ギア42が第五回転軸48を動かして回転させ、第五回転軸48が第六ギア49を動かして回転させ、第六ギア49が第七ギア50を動かして回転させ、第七ギア50が第六回転軸52を動かして回転させ、第六回転軸52が第七回転軸54を動かして回転させ、第七回転軸54が第八ギア55を動かして回転させ、第八ギア55が回転して第一スライダ36を動かして上へスライドさせ、第一スライダ36が第一作業ブロック28を動かして上へスライドさせて継続して装置を突き上げ、この時角度が適切でないと、手動で第二次の調整ができ、本装置を復位させようとすると、まず第二モータ39を起動して第一作業ブロック28を下へスライドして復位させ、それから第一モータ12を起動してボルト22を復位させ、ボルト22が復位した後第四ギア41と第十ギア62とが噛み合う状態に戻り、第二モータ39を起動して第一作業ブロック28を最初の角度に戻せばいい。
【００１９】
本発明の有益効果は：本発明は構造が簡単で、操作が便利で、使用と組立に際してはかなり簡易で霊活であり、ねじを使わなくても固定でき、且つ需要に応じて高さを調整でき、360度で角度を調整でき、本装置は組み立てる時にあり得る困りを考慮するし、使用する時の便利さも実現する。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020070916.tif 000003
【図２】
2020070916.tif 000004
【図３】
2020070916.tif 000005
【手続補正書】
【提出日】平成31年4月16日(2019.4.16)
【手続補正１】
【補正対象書類名】明細書
【補正対象項目名】全文
【補正方法】変更
【補正の内容】
【発明の詳細な説明】
【技術分野】
【０００１】
本発明は生活用具技術分野に関わり、具体的には高さと角度を調整できるアルミ合金支持台である。
【背景技術】
【０００２】
現在の市場でのアルミ合金支持台は種類が様々あり、サビが出にくい上で軽くて、使用や取付にはからり便利であり、しかし、現有のアルミ合金支持台の大部分が柔軟度が不足で、重くはないが、その上におかれている物品と組み合わせたら一般に重くなり、この時その高さを調整するには不便があり、使用する時には角度の調整が難しく、また、大部分のアルミ合金支持台と物品との間にはボルト等の組立部品がなければ固定できず、取付する時に失敗しやすく、物品が落下して安全事故を致すこともあり、安全度が低く、かなりの安全リスクが存在しており、したがって、取り付けした後で柔軟に位置を調整でき且つ角度を調整でき、よりきつく固定でき且つ便利な高さと角度を調整できるアルミ合金支持台が実に必要である。
【先行技術文献】
【特許文献】
【０００３】
【特許文献１】中国特許出願公開第107458990号明細書
【発明の概要】
【発明が解決しようとする課題】
【０００４】
本発明の目的は高さと角度を調整できるアルミ合金支持台を提供し、現存技術の上記した欠点を補うことである。
【課題を解決するための手段】
【０００５】
本発明の高さと角度を調整できるアルミ合金支持台は、装置本体と、前記装置本体の中に設置される高度調整装置と、前記装置本体の中に設置される固定装置と、前記装置本体の中に設置される旋転装置とを含む。
【０００６】
さらなる技術プラントして、前記高度調整装置は前記装置本体の中に設置される左右対称の第一回転キャビティを含み、前記第一回転キャビティの中には回転できる第一回転軸が設置され、左側の前記第一回転軸の左端には第一モータが動力で係合接続され、前記第一回転軸の右端には回転できる第一ギアが固定接続され、前記第一ギアの下端には回転できる第二ギアが噛合係合接続され、前記第二ギアの後端には回転できる第三ギアが噛合係合接続され、前記第三ギアの軸心のところには回転できる第二回転軸が固定接続され、前記第二回転軸の後端がベルトにより動力で係合接続され、前記第一回転キャビティの下側内壁の中には第一ネジ山キャビティが設置され、前記第一ネジ山キャビティの中には回転できる第一スリーブが螺合接続され、前記第二ギアの軸心のところには下端が前記第一スリーブと固定接続され且つ回転できる第三回転軸が固定接続され、前記第一スリーブの中には第二ネジ山キャビティが設置され、前記第一ネジ山キャビティの下側内壁の中には上下に貫通した且つ前記第二ネジ山キャビティと位置合わせの第一スルーホールが設置され、前記第二ネジ山キャビティの中には下端が前記第一スルーホールの中に延伸し且つ上下にスライドできるボルトが螺合接続され、前記第一スルーホールの外側には下方に開口し且つ環状に配列された第一凹溝が連通して設置され、前記ボルトのうち下側位置に近接するところには環状に配列され且つ前記第一凹溝の中に延伸するサポートブロックが固定接続され、前記第一ネジ山キャビティの近接し合う側の内壁には下方に開口した第二凹溝が内設され、前記第二凹溝の中には前記サポートブロックと固定接続されるストッパが設置され、前記第一ネジ山キャビティの間の内壁の中には補助昇降装置が設置される。
【０００７】
さらなる技術プラントして、前記補助昇降装置は前記第一ネジ山キャビティの間の内壁に内設される第一スライドキャビティを含み、前記第一スライドキャビティの中には上下にスライドでき且つ左端に歯形が付く第一スライダが設置され、前記第一スライドキャビティの右側内壁の中には第二スライドキャビティが内設され、前記第二スライドキャビティの中には上下にスライドできる第二スライダが設置され、前記第二スライダの中には第二モータが固設され、前記第二スライドキャビティの上側には第二回転キャビティが連通して設置され、前記第二モータの上端には上端が前記第二回転キャビティの中に延伸する第四回転軸が動力で係合接続され、前記第四回転軸の上端には回転できる第四ギアが固定接続され、前記第二スライドキャビティと前記第二凹溝との間には第二スルーホールが連通して設置され、前記第二スライダの下端には他端が延伸して前記第二スルーホールを貫通し且つ前記ストッパと固定接続する第三スライダが固定接続され、前記第二スライドキャビティの後側内壁の中には前方に開口した第三凹溝が設置され、前記第三凹溝の中には前端が前記第二スライドキャビティの中に延伸し且つ前記第四ギアと噛み合える第五ギアが設置され、前記第三凹溝の下側内壁の中には第三回転キャビティが設置され、前記第五ギアの軸心のところには下端が前記第三回転キャビティの中に延伸する第五回転軸が固定接続され、前記第五回転軸の下端には回転できる第六ギアが固定接続され、前記第六ギアの後端には回転できる第七ギアが噛合係合接続され、前記第七ギアの後側内壁の中には第一伝動キャビティが設置され、前記第七ギアの軸心のところには前記第一伝動キャビティの中に延伸し且つ回転できる第六回転軸が固定接続され、前記第一スライドキャビティの左側には第四回転キャビティが連通して設置され、前記第四回転キャビティの中には前記第一スライダの左端の歯形と噛み合う第八ギアが設置され、前記第八ギアの軸心のところには前記第一伝動キャビティの中に延伸する第七回転軸が固定接続され、前記第七回転軸のうち前記第一伝動キャビティの中に位置する部分と、前記第六回転軸のうち前記第一伝動キャビティの中に位置する部分とがベルトを通じて動力で係合接続されている。
【０００８】
さらなる技術プラントして、前記固定装置は前記装置本体の上側に設置される回転できる第一作業ブロックを含み、前記第一作業ブロックの中には上方に開口した第四凹溝が内設され、前記第四凹溝の下側内壁の中には上方に開口した第五凹溝が内設され、前記第五凹溝の左側内壁の中には第三モータが固設され、前記第三モータの右端には前記第五凹溝の中に延伸するリードスクリューが動力で係合接続され、前記第五凹溝の中には下端が前記リードスクリューと螺合接続され且つ上端が前記第四凹溝の中に延伸し且つ左右にスライドできる第四スライダが左右対称で設置され、前記第四スライダの上端には固定クランプブロックが固定接続される。
【０００９】
さらなる技術プラントして、前記旋転装置は前記第一作業ブロックの下端に固定接続され且つ前記第一スライダと回転式に固定接続される第八回転軸を含み、前記第一スライドキャビティの外側には上方に開口した環状溝が設置され、前記第八回転軸のうち前記第一スライダの中に位置する部分の外側には前記環状溝と連通する環状穴が連通して設置され、前記第八回転軸には前記環状穴を貫通して前記環状溝の中に延伸する第九ギアが固定接続され、前記環状溝の右側内壁の中には左方に開口した第六凹溝が内設され、前記第六凹溝の中には前記第九ギアと噛合係合接続される第十ギアが設置され、前記第十ギアの軸心のところには前記第二回転キャビティの中に延伸する第九回転軸が固定接続され、前記第九回転軸の下端には左端が前記第四ギアと噛合係合接続される第十一ギアが固定接続される。
【発明の効果】
【００１０】
本発明の有益効果は：本発明は構造が簡単で、操作が便利で、使用と組立に際してはかなり簡易で霊活であり、ねじを使わなくても固定でき、且つ需要に応じて高さを調整でき、360度で角度を調整でき、本装置は組み立てる時にあり得る困りを考慮するし、使用する時の便利さも実現する。
【図面の簡単な説明】
【００１１】
【図１】図1は本発明の高さと角度を調整できるアルミ合金支持台の内部全体構造見    取り図である。
【図２】図2は本発明の図１のA-A方向の断面図である。
【図３】図3は本発明の図１のB-B方向の断面図である。
【発明を実施するための形態】
【００１２】
下記に図1~3を合わせて本発明について詳しく説明します。説明を便利にさせるように、ここで下記の方位に規定します：下記の上下左右前後という方向は図1の自身の投影関係の上下左右前後の方向と一致します。
【００１３】
図1~3を参照し、本発明の実施例における高さと角度を調整できるアルミ合金支持台は、装置本体10と、前記装置本体10の中に設置される高度調整装置と、前記装置本体10の中に設置される固定装置と、前記装置本体10の中に設置される旋転装置とを含む。
【００１４】
有益なまた例を示すように、前記高度調整装置は前記装置本体10の中に設置される左右対称の第一回転キャビティ11を含み、前記第一回転キャビティ11の中には回転できる第一回転軸13が設置され、左側の前記第一回転軸13の左端には第一モータ12が動力で係合接続され、前記第一回転軸13の右端には回転できる第一ギア14が固定接続され、前記第一ギア14の下端には回転できる第二ギア15が噛合係合接続され、前記第二ギア15の後端には回転できる第三ギア16が噛合係合接続され、前記第三ギア16の軸心のところには回転できる第二回転軸17が固定接続され、前記第二回転軸17の後端がベルトにより動力で係合接続され、前記第一回転キャビティ11の下側内壁の中には第一ネジ山キャビティ18が設置され、前記第一ネジ山キャビティ18の中には回転できる第一スリーブ20が螺合接続され、前記第二ギア15の軸心のところには下端が前記第一スリーブ20と固定接続され且つ回転できる第三回転軸19が固定接続され、前記第一スリーブ20の中には第二ネジ山キャビティ21が設置され、前記第一ネジ山キャビティ18の下側内壁の中には上下に貫通した且つ前記第二ネジ山キャビティ21と位置合わせの第一スルーホール23が設置され、前記第二ネジ山キャビティ21の中には下端が前記第一スルーホール23の中に延伸し且つ上下にスライドできるボルト22が螺合接続され、前記第一スルーホール23の外側には下方に開口し且つ環状に配列された第一凹溝24が連通して設置され、前記ボルト22のうち下側位置に近接するところには環状に配列され且つ前記第一凹溝24の中に延伸するサポートブロック25が固定接続され、前記第一ネジ山キャビティ18の近接し合う側の内壁には下方に開口した第二凹溝27が内設され、前記第二凹溝27の中には前記サポートブロック25と固定接続されるストッパ26が設置され、前記第一ネジ山キャビティ18の間の内壁の中には補助昇降装置が設置される。
【００１５】
有益なまた例を示すように、前記補助昇降装置は前記第一ネジ山キャビティ18の間の内壁に内設される第一スライドキャビティ35を含み、前記第一スライドキャビティ35の中には上下にスライドでき且つ左端に歯形が付く第一スライダ36が設置され、前記第一スライドキャビティ35の右側内壁の中には第二スライドキャビティ37が内設され、前記第二スライドキャビティ37の中には上下にスライドできる第二スライダ38が設置され、前記第二スライダ38の中には第二モータ39が固設され、前記第二スライドキャビティ37の上側には第二回転キャビティ45が連通して設置され、前記第二モータ39の上端には上端が前記第二回転キャビティ45の中に延伸する第四回転軸40が動力で係合接続され、前記第四回転軸40の上端には回転できる第四ギア41が固定接続され、前記第二スライドキャビティ37と前記第二凹溝27との間には第二スルーホール43が連通して設置され、前記第二スライダ38の下端には他端が延伸して前記第二スルーホール43を貫通し且つ前記ストッパ26と固定接続する第三スライダ44が固定接続され、前記第二スライドキャビティ37の後側内壁の中には前方に開口した第三凹溝46が設置され、前記第三凹溝46の中には前端が前記第二スライドキャビティ37の中に延伸し且つ前記第四ギア41と噛み合える第五ギア42が設置され、前記第三凹溝46の下側内壁の中には第三回転キャビティ47が設置され、前記第五ギア42の軸心のところには下端が前記第三回転キャビティ47の中に延伸する第五回転軸48が固定接続され、前記第五回転軸48の下端には回転できる第六ギア49が固定接続され、前記第六ギア49の後端には回転できる第七ギア50が噛合係合接続され、前記第七ギア50の後側内壁の中には第一伝動キャビティ51が設置され、前記第七ギア50の軸心のところには前記第一伝動キャビティ51の中に延伸し且つ回転できる第六回転軸52が固定接続され、前記第一スライドキャビティ35の左側には第四回転キャビティ53が連通して設置され、前記第四回転キャビティ53の中には前記第一スライダ36の左端の歯形と噛み合う第八ギア55が設置され、前記第八ギア55の軸心のところには前記第一伝動キャビティ51の中に延伸する第七回転軸54が固定接続され、前記第七回転軸54のうち前記第一伝動キャビティ51の中に位置する部分と、前記第六回転軸52のうち前記第一伝動キャビティ51の中に位置する部分とがベルトを通じて動力で係合接続されている。
【００１６】
有益なまた例を示すように、前記固定装置は前記装置本体10の上側に設置される回転できる第一作業ブロック28を含み、前記第一作業ブロック28の中には上方に開口した第四凹溝29が内設され、前記第四凹溝29の下側内壁の中には上方に開口した第五凹溝30が内設され、前記第五凹溝30の左側内壁の中には第三モータ31が固設され、前記第三モータ31の右端には前記第五凹溝30の中に延伸するリードスクリュー32が動力で係合接続され、前記第五凹溝30の中には下端が前記リードスクリュー32と螺合接続され且つ上端が前記第四凹溝29の中に延伸し且つ左右にスライドできる第四スライダ33が左右対称で設置され、前記第四スライダ33の上端には固定クランプブロック34が固定接続される。
【００１７】
有益なまた例を示すように、前記旋転装置は前記第一作業ブロック28の下端に固定接続され且つ前記第一スライダ36と回転式に固定接続される第八回転軸57を含み、前記第一スライドキャビティ35の外側には上方に開口した環状溝58が設置され、前記第八回転軸57のうち前記第一スライダ36の中に位置する部分の外側には前記環状溝58と連通する環状穴59が連通して設置され、前記第八回転軸57には前記環状穴59を貫通して前記環状溝58の中に延伸する第九ギア60が固定接続され、前記環状溝58の右側内壁の中には左方に開口した第六凹溝61が内設され、前記第六凹溝61の中には前記第九ギア60と噛合係合接続される第十ギア62が設置され、前記第十ギア62の軸心のところには前記第二回転キャビティ45の中に延伸する第九回転軸64が固定接続され、前記第九回転軸64の下端には左端が前記第四ギア41と噛合係合接続される第十一ギア63が固定接続される。
【００１８】
本装置は作動する時、物品を第四凹溝29の中に置き、第三モータ31を起動し、第三モータ31がリードスクリュー32を動かして回転させ、リードスクリュー32が回転して第四スライダ33を動かして相互に近接させ、第四スライダ33が固定クランプブロック34を動かして接近させて物品をきつく挟んで固定させ、第二モータ39を起動し、第二モータ39が第四回転軸40を動かして回転させ、第四回転軸40が第四ギア41を動かして回転させ、第四ギア41が第十一ギア63を動かして回転させ、前記第十一ギア63が第九回転軸64を動かして回転させ、第九回転軸64が第十ギア62を動かして回転させ、第十ギア62が第九ギア60を動かして回転させ、第九ギア60が第八回転軸57を動かして回転させ、第八回転軸57が第一作業ブロック28を動かして回転させ、これにより第一スライダ36が360度で角度の調整ができ、高さが十分でないと、第一モータ12を起動し、第一モータ12が左側の第一回転軸13を動かして回転させ、左側の第一回転軸13が左側の第二ギア15を動かして回転させ、左側の第二ギア15が左側の第三ギア16を動かして回転させ、左側の第三ギア16が左側の第二回転軸17を動かして回転させ、左側の第二回転軸17が右側の第二回転軸17を動かして回転させ、右側の第二回転軸17が右側の第三ギア16を動かして回転させ、右側の第三ギア16が右側の第二ギア15を動かして回転させ、第二ギア15が回転して第一スリーブ20を動かして回転させ、第一スリーブ20が回転してボルト22を動かして下へスライドさせ、ボルト22が第一凹溝24とストッパ26とを動かして下へスライドさせて装置を突き上げ、装置を上昇させ、第二凹溝27が下へスライドして第三スライダ44を動かして下へスライドさせ、第三スライダ44が下へスライドして第二スライダ38を動かして下へスライドさせ、第二スライダ38が下へスライドして第四ギア41を動かして下へスライドさせ、第四ギア41が一番下端のところまで着く時、第四ギア41と第五ギア42とが噛み合い、第二モータ39を起動し、第二モータ39が第四回転軸40を動かして回転させ、第四回転軸40が第四ギア41を動かして回転させ、第四ギア41が第五ギア42を動かして回転させ、第五ギア42が第五回転軸48を動かして回転させ、第五回転軸48が第六ギア49を動かして回転させ、第六ギア49が第七ギア50を動かして回転させ、第七ギア50が第六回転軸52を動かして回転させ、第六回転軸52が第七回転軸54を動かして回転させ、第七回転軸54が第八ギア55を動かして回転させ、第八ギア55が回転して第一スライダ36を動かして上へスライドさせ、第一スライダ36が第一作業ブロック28を動かして上へスライドさせて継続して装置を突き上げ、この時角度が適切でないと、手動で第二次の調整ができ、本装置を復位させようとすると、まず第二モータ39を起動して第一作業ブロック28を下へスライドして復位させ、それから第一モータ12を起動してボルト22を復位させ、ボルト22が復位した後第四ギア41と第十ギア62とが噛み合う状態に戻り、第二モータ39を起動して第一作業ブロック28を最初の角度に戻せばいい。
【００１９】
本発明の有益効果は：本発明は構造が簡単で、操作が便利で、使用と組立に際してはかなり簡易で霊活であり、ねじを使わなくても固定でき、且つ需要に応じて高さを調整でき、360度で角度を調整でき、本装置は組み立てる時にあり得る困りを考慮するし、使用する時の便利さも実現する。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
装置本体と、前記装置本体の中に設置される高度調整装置と、前記装置本体の中に設置される固定装置と、前記装置本体の中に設置される旋転装置とを含み、前記高度調整装置は前記装置本体の中に設置される左右対称の第一回転キャビティを含み、前記第一回転キャビティの中には回転できる第一回転軸が設置され、左側の前記第一回転軸の左端には第一モータが動力で係合接続され、前記第一回転軸の右端には回転できる第一ギアが固定接続され、前記第一ギアの下端には回転できる第二ギアが噛合係合接続され、前記第二ギアの後端には回転できる第三ギアが噛合係合接続され、前記第三ギアの軸心のところには回転できる第二回転軸が固定接続され、前記第二回転軸の後端がベルトにより動力で係合接続され、左側の前記第二回転軸は右側の前記第二回転軸を回転連動させることができ、前記第一回転キャビティの下側内壁の中には第一ネジ山キャビティが設置され、前記第一ネジ山キャビティの中には回転できる第一スリーブが螺合接続され、前記第二ギアの軸心のところには下端が前記第一スリーブと固定接続され且つ回転できる第三回転軸が固定接続され、前記第一スリーブの中には第二ネジ山キャビティが設置され、前記第一ネジ山キャビティの下側内壁の中には上下に貫通した且つ前記第二ネジ山キャビティと位置合わせの第一スルーホールが設置され、前記第二ネジ山キャビティの中には下端が前記第一スルーホールの中に延伸し且つ上下にスライドできるボルトが螺合接続され、前記第一スルーホールの外側には下方に開口し且つ環状に配列された第一凹溝が連通して設置され、前記ボルトのうち下側位置に近接するところには環状に配列され且つ前記第一凹溝の中に延伸するサポートブロックが固定接続され、前記第一ネジ山キャビティの近接し合う側の内壁には下方に開口した第二凹溝が内設され、前記第二凹溝の中には前記サポートブロックと固定接続されるストッパが設置され、前記第一ネジ山キャビティの間の内壁の中には補助昇降装置が設置され、さらなる技術プラントして、前記補助昇降装置は前記第一ネジ山キャビティの間の内壁に内設される第一スライドキャビティを含み、前記第一スライドキャビティの中には上下にスライドでき且つ左端に歯形が付く第一スライダが設置され、前記第一スライドキャビティの右側内壁の中には第二スライドキャビティが内設され、前記第二スライドキャビティの中には上下にスライドできる第二スライダが設置され、前記第二スライダの中には第二モータが固設され、前記第二スライドキャビティの上側には第二回転キャビティが連通して設置され、前記第二モータの上端には上端が前記第二回転キャビティの中に延伸する第四回転軸が動力で係合接続され、前記第四回転軸の上端には回転できる第四ギアが固定接続され、前記第二スライドキャビティと前記第二凹溝との間には第二スルーホールが連通して設置され、前記第二スライダの下端には他端が延伸して前記第二スルーホールを貫通し且つ前記ストッパと固定接続する第三スライダが固定接続され、前記第二スライドキャビティの後側内壁の中には前方に開口した第三凹溝が設置され、前記第三凹溝の中には前端が前記第二スライドキャビティの中に延伸し且つ前記第四ギアと噛み合える第五ギアが設置され、前記第二スライダが下へスライドすることで前記第四ギアが下へスライドし、前記第四ギアが一番下端に着いた時に、前記第四ギアと前記第五ギアとが噛み合い、前記第三凹溝の下側内壁の中には第三回転キャビティが設置され、前記第五ギアの軸心のところには下端が前記第三回転キャビティの中に延伸する第五回転軸が固定接続され、前記第五回転軸の下端には回転できる第六ギアが固定接続され、前記第六ギアの後端には回転できる第七ギアが噛合係合接続され、前記第七ギアの後側内壁の中には第一伝動キャビティが設置され、前記第七ギアの軸心のところには前記第一伝動キャビティの中に延伸し且つ回転できる第六回転軸が固定接続され、前記第一スライドキャビティの左側には第四回転キャビティが連通して設置され、前記第四回転キャビティの中には前記第一スライダの左端の歯形と噛み合う第八ギアが設置され、前記第八ギアの軸心のところには前記第一伝動キャビティの中に延伸する第七回転軸が固定接続され、前記第七回転軸のうち前記第一伝動キャビティの中に位置する部分と、前記第六回転軸のうち前記第一伝動キャビティの中に位置する部分とがベルトを通じて動力で係合接続され、さらなる技術プラントして、前記固定装置は前記装置本体の上側に設置される回転できる第一作業ブロックを含み、前記第一作業ブロックの中には上方に開口した第四凹溝が内設され、前記第四凹溝の下側内壁の中には上方に開口した第五凹溝が内設され、前記第五凹溝の左側内壁の中には第三モータが固設され、前記第三モータの右端には前記第五凹溝の中に延伸するリードスクリューが動力で係合接続され、前記第五凹溝の中には下端が前記リードスクリューと螺合接続され且つ上端が前記第四凹溝の中に延伸し且つ左右にスライドできる第四スライダが左右対称で設置され、前記第四スライダの上端には固定クランプブロックが固定接続され、さらなる技術プラントして、前記旋転装置は前記第一作業ブロックの下端に固定接続され且つ前記第一スライダと回転式に固定接続される第八回転軸を含み、前記第一スライドキャビティの外側には上方に開口した環状溝が設置され、前記第八回転軸のうち前記第一スライダの中に位置する部分の外側には前記環状溝と連通する環状穴が連通して設置され、前記第八回転軸には前記環状穴を貫通して前記環状溝の中に延伸する第九ギアが固定接続され、前記環状溝の右側内壁の中には左方に開口した第六凹溝が内設され、前記第六凹溝の中には前記第九ギアと噛合係合接続される第十ギアが設置され、前記第十ギアの軸心のところには前記第二回転キャビティの中に延伸する第九回転軸が固定接続され、前記第九回転軸の下端には左端が前記第四ギアと噛合係合接続される第十一ギアが固定接続されることを特徴とする高さと角度を調整できるアルミ合金支持台である。
【手続補正２】
【補正対象書類名】明細書
【補正対象項目名】全文
【補正方法】変更
【補正の内容】
【発明の詳細な説明】
【技術分野】
【０００１】
本発明は生活用具技術分野に関わり、具体的には高さと角度を調整できるアルミ合金支持台である。
【背景技術】
【０００２】
現在の市場でのアルミ合金支持台は種類が様々あり、サビが出にくい上で軽くて、使用や取付にはからり便利であり、しかし、現有のアルミ合金支持台の大部分が柔軟度が不足で、重くはないが、その上におかれている物品と組み合わせたら一般に重くなり、この時その高さを調整するには不便があり、使用する時には角度の調整が難しく、また、大部分のアルミ合金支持台と物品との間にはボルト等の組立部品がなければ固定できず、取付する時に失敗しやすく、物品が落下して安全事故を致すこともあり、安全度が低く、かなりの安全リスクが存在しており、したがって、取り付けした後で柔軟に位置を調整でき且つ角度を調整でき、よりきつく固定でき且つ便利な高さと角度を調整できるアルミ合金支持台が実に必要である。
【先行技術文献】
【特許文献】
【０００３】
【特許文献１】中国特許出願公開第107458990号明細書
【発明の概要】
【発明が解決しようとする課題】
【０００４】
本発明の目的は高さと角度を調整できるアルミ合金支持台を提供し、現存技術の上記した欠点を補うことである。
【課題を解決するための手段】
【０００５】
本発明の高さと角度を調整できるアルミ合金支持台は、装置本体と、前記装置本体の中に設置される高度調整装置と、前記装置本体の中に設置される固定装置と、前記装置本体の中に設置される旋転装置とを含む。
【０００６】
さらなる技術プラントして、前記高度調整装置は前記装置本体の中に設置される左右対称の第一回転キャビティを含み、前記第一回転キャビティの中には回転できる第一回転軸が設置され、左側の前記第一回転軸の左端には第一モータが動力で係合接続され、前記第一回転軸の右端には回転できる第一ギアが固定接続され、前記第一ギアの下端には回転できる第二ギアが噛合係合接続され、前記第二ギアの後端には回転できる第三ギアが噛合係合接続され、前記第三ギアの軸心のところには回転できる第二回転軸が固定接続され、前記第二回転軸の後端がベルトにより動力で係合接続され、左側の前記第二回転軸は右側の前記第二回転軸を回転連動させることができ、前記第一回転キャビティの下側内壁の中には第一ネジ山キャビティが設置され、前記第一ネジ山キャビティの中には回転できる第一スリーブが螺合接続され、前記第二ギアの軸心のところには下端が前記第一スリーブと固定接続され且つ回転できる第三回転軸が固定接続され、前記第一スリーブの中には第二ネジ山キャビティが設置され、前記第一ネジ山キャビティの下側内壁の中には上下に貫通した且つ前記第二ネジ山キャビティと位置合わせの第一スルーホールが設置され、前記第二ネジ山キャビティの中には下端が前記第一スルーホールの中に延伸し且つ上下にスライドできるボルトが螺合接続され、前記第一スルーホールの外側には下方に開口し且つ環状に配列された第一凹溝が連通して設置され、前記ボルトのうち下側位置に近接するところには環状に配列され且つ前記第一凹溝の中に延伸するサポートブロックが固定接続され、前記第一ネジ山キャビティの近接し合う側の内壁には下方に開口した第二凹溝が内設され、前記第二凹溝の中には前記サポートブロックと固定接続されるストッパが設置され、前記第一ネジ山キャビティの間の内壁の中には補助昇降装置が設置される。
【０００７】
さらなる技術プラントして、前記補助昇降装置は前記第一ネジ山キャビティの間の内壁に内設される第一スライドキャビティを含み、前記第一スライドキャビティの中には上下にスライドでき且つ左端に歯形が付く第一スライダが設置され、前記第一スライドキャビティの右側内壁の中には第二スライドキャビティが内設され、前記第二スライドキャビティの中には上下にスライドできる第二スライダが設置され、前記第二スライダの中には第二モータが固設され、前記第二スライドキャビティの上側には第二回転キャビティが連通して設置され、前記第二モータの上端には上端が前記第二回転キャビティの中に延伸する第四回転軸が動力で係合接続され、前記第四回転軸の上端には回転できる第四ギアが固定接続され、前記第二スライドキャビティと前記第二凹溝との間には第二スルーホールが連通して設置され、前記第二スライダの下端には他端が延伸して前記第二スルーホールを貫通し且つ前記ストッパと固定接続する第三スライダが固定接続され、前記第二スライドキャビティの後側内壁の中には前方に開口した第三凹溝が設置され、前記第三凹溝の中には前端が前記第二スライドキャビティの中に延伸し且つ前記第四ギアと噛み合える第五ギアが設置され、前記第二スライダが下へスライドすることで前記第四ギアが下へスライドし、前記第四ギアが一番下端に着いた時に、前記第四ギアと前記第五ギアとが噛み合い、前記第三凹溝の下側内壁の中には第三回転キャビティが設置され、前記第五ギアの軸心のところには下端が前記第三回転キャビティの中に延伸する第五回転軸が固定接続され、前記第五回転軸の下端には回転できる第六ギアが固定接続され、前記第六ギアの後端には回転できる第七ギアが噛合係合接続され、前記第七ギアの後側内壁の中には第一伝動キャビティが設置され、前記第七ギアの軸心のところには前記第一伝動キャビティの中に延伸し且つ回転できる第六回転軸が固定接続され、前記第一スライドキャビティの左側には第四回転キャビティが連通して設置され、前記第四回転キャビティの中には前記第一スライダの左端の歯形と噛み合う第八ギアが設置され、前記第八ギアの軸心のところには前記第一伝動キャビティの中に延伸する第七回転軸が固定接続され、前記第七回転軸のうち前記第一伝動キャビティの中に位置する部分と、前記第六回転軸のうち前記第一伝動キャビティの中に位置する部分とがベルトを通じて動力で係合接続されている。
【０００８】
さらなる技術プラントして、前記固定装置は前記装置本体の上側に設置される回転できる第一作業ブロックを含み、前記第一作業ブロックの中には上方に開口した第四凹溝が内設され、前記第四凹溝の下側内壁の中には上方に開口した第五凹溝が内設され、前記第五凹溝の左側内壁の中には第三モータが固設され、前記第三モータの右端には前記第五凹溝の中に延伸するリードスクリューが動力で係合接続され、前記第五凹溝の中には下端が前記リードスクリューと螺合接続され且つ上端が前記第四凹溝の中に延伸し且つ左右にスライドできる第四スライダが左右対称で設置され、前記第四スライダの上端には固定クランプブロックが固定接続される。
【０００９】
さらなる技術プラントして、前記旋転装置は前記第一作業ブロックの下端に固定接続され且つ前記第一スライダと回転式に固定接続される第八回転軸を含み、前記第一スライドキャビティの外側には上方に開口した環状溝が設置され、前記第八回転軸のうち前記第一スライダの中に位置する部分の外側には前記環状溝と連通する環状穴が連通して設置され、前記第八回転軸には前記環状穴を貫通して前記環状溝の中に延伸する第九ギアが固定接続され、前記環状溝の右側内壁の中には左方に開口した第六凹溝が内設され、前記第六凹溝の中には前記第九ギアと噛合係合接続される第十ギアが設置され、前記第十ギアの軸心のところには前記第二回転キャビティの中に延伸する第九回転軸が固定接続され、前記第九回転軸の下端には左端が前記第四ギアと噛合係合接続される第十一ギアが固定接続される。
【発明の効果】
【００１０】
本発明の有益効果は：本発明は構造が簡単で、操作が便利で、使用と組立に際してはかなり簡易で霊活であり、ねじを使わなくても固定でき、且つ需要に応じて高さを調整でき、360度で角度を調整でき、本装置は組み立てる時にあり得る困りを考慮するし、使用する時の便利さも実現する。
【図面の簡単な説明】
【００１１】
【図１】図1は本発明の高さと角度を調整できるアルミ合金支持台の内部全体構造見    取り図である。
【図２】図2は本発明の図１のA-A方向の断面図である。
【図３】図3は本発明の図１のB-B方向の断面図である。
【発明を実施するための形態】
【００１２】
下記に図1~3を合わせて本発明について詳しく説明します。説明を便利にさせるように、ここで下記の方位に規定します：下記の上下左右前後という方向は図1の自身の投影関係の上下左右前後の方向と一致します。
【００１３】
図1~3を参照し、本発明の実施例における高さと角度を調整できるアルミ合金支持台は、装置本体10と、前記装置本体10の中に設置される高度調整装置と、前記装置本体10の中に設置される固定装置と、前記装置本体10の中に設置される旋転装置とを含む。
【００１４】
有益なまた例を示すように、前記高度調整装置は前記装置本体10の中に設置される左右対称の第一回転キャビティ11を含み、前記第一回転キャビティ11の中には回転できる第一回転軸13が設置され、左側の前記第一回転軸13の左端には第一モータ12が動力で係合接続され、前記第一回転軸13の右端には回転できる第一ギア14が固定接続され、前記第一ギア14の下端には回転できる第二ギア15が噛合係合接続され、前記第二ギア15の後端には回転できる第三ギア16が噛合係合接続され、前記第三ギア16の軸心のところには回転できる第二回転軸17が固定接続され、前記第二回転軸17の後端がベルトにより動力で係合接続され、左側の前記第二回転軸17は右側の前記第二回転軸17を回転連動させることができ、前記第一回転キャビティ11の下側内壁の中には第一ネジ山キャビティ18が設置され、前記第一ネジ山キャビティ18の中には回転できる第一スリーブ20が螺合接続され、前記第二ギア15の軸心のところには下端が前記第一スリーブ20と固定接続され且つ回転できる第三回転軸19が固定接続され、前記第一スリーブ20の中には第二ネジ山キャビティ21が設置され、前記第一ネジ山キャビティ18の下側内壁の中には上下に貫通した且つ前記第二ネジ山キャビティ21と位置合わせの第一スルーホール23が設置され、前記第二ネジ山キャビティ21の中には下端が前記第一スルーホール23の中に延伸し且つ上下にスライドできるボルト22が螺合接続され、前記第一スルーホール23の外側には下方に開口し且つ環状に配列された第一凹溝24が連通して設置され、前記ボルト22のうち下側位置に近接するところには環状に配列され且つ前記第一凹溝24の中に延伸するサポートブロック25が固定接続され、前記第一ネジ山キャビティ18の近接し合う側の内壁には下方に開口した第二凹溝27が内設され、前記第二凹溝27の中には前記サポートブロック25と固定接続されるストッパ26が設置され、前記第一ネジ山キャビティ18の間の内壁の中には補助昇降装置が設置される。
【００１５】
有益なまた例を示すように、前記補助昇降装置は前記第一ネジ山キャビティ18の間の内壁に内設される第一スライドキャビティ35を含み、前記第一スライドキャビティ35の中には上下にスライドでき且つ左端に歯形が付く第一スライダ36が設置され、前記第一スライドキャビティ35の右側内壁の中には第二スライドキャビティ37が内設され、前記第二スライドキャビティ37の中には上下にスライドできる第二スライダ38が設置され、前記第二スライダ38の中には第二モータ39が固設され、前記第二スライドキャビティ37の上側には第二回転キャビティ45が連通して設置され、前記第二モータ39の上端には上端が前記第二回転キャビティ45の中に延伸する第四回転軸40が動力で係合接続され、前記第四回転軸40の上端には回転できる第四ギア41が固定接続され、前記第二スライドキャビティ37と前記第二凹溝27との間には第二スルーホール43が連通して設置され、前記第二スライダ38の下端には他端が延伸して前記第二スルーホール43を貫通し且つ前記ストッパ26と固定接続する第三スライダ44が固定接続され、前記第二スライドキャビティ37の後側内壁の中には前方に開口した第三凹溝46が設置され、前記第三凹溝46の中には前端が前記第二スライドキャビティ37の中に延伸し且つ前記第四ギア41と噛み合える第五ギア42が設置され、前記第二スライダ38が下へスライドすることで前記第四ギア41が下へスライドし、前記第四ギア41が一番下端に着いた時に、前記第四ギア41と前記第五ギア42とが噛み合い、前記第三凹溝46の下側内壁の中には第三回転キャビティ47が設置され、前記第五ギア42の軸心のところには下端が前記第三回転キャビティ47の中に延伸する第五回転軸48が固定接続され、前記第五回転軸48の下端には回転できる第六ギア49が固定接続され、前記第六ギア49の後端には回転できる第七ギア50が噛合係合接続され、前記第七ギア50の後側内壁の中には第一伝動キャビティ51が設置され、前記第七ギア50の軸心のところには前記第一伝動キャビティ51の中に延伸し且つ回転できる第六回転軸52が固定接続され、前記第一スライドキャビティ35の左側には第四回転キャビティ53が連通して設置され、前記第四回転キャビティ53の中には前記第一スライダ36の左端の歯形と噛み合う第八ギア55が設置され、前記第八ギア55の軸心のところには前記第一伝動キャビティ51の中に延伸する第七回転軸54が固定接続され、前記第七回転軸54のうち前記第一伝動キャビティ51の中に位置する部分と、前記第六回転軸52のうち前記第一伝動キャビティ51の中に位置する部分とがベルトを通じて動力で係合接続されている。
【００１６】
有益なまた例を示すように、前記固定装置は前記装置本体10の上側に設置される回転できる第一作業ブロック28を含み、前記第一作業ブロック28の中には上方に開口した第四凹溝29が内設され、前記第四凹溝29の下側内壁の中には上方に開口した第五凹溝30が内設され、前記第五凹溝30の左側内壁の中には第三モータ31が固設され、前記第三モータ31の右端には前記第五凹溝30の中に延伸するリードスクリュー32が動力で係合接続され、前記第五凹溝30の中には下端が前記リードスクリュー32と螺合接続され且つ上端が前記第四凹溝29の中に延伸し且つ左右にスライドできる第四スライダ33が左右対称で設置され、前記第四スライダ33の上端には固定クランプブロック34が固定接続される。
【００１７】
有益なまた例を示すように、前記旋転装置は前記第一作業ブロック28の下端に固定接続され且つ前記第一スライダ36と回転式に固定接続される第八回転軸57を含み、前記第一スライドキャビティ35の外側には上方に開口した環状溝58が設置され、前記第八回転軸57のうち前記第一スライダ36の中に位置する部分の外側には前記環状溝58と連通する環状穴59が連通して設置され、前記第八回転軸57には前記環状穴59を貫通して前記環状溝58の中に延伸する第九ギア60が固定接続され、前記環状溝58の右側内壁の中には左方に開口した第六凹溝61が内設され、前記第六凹溝61の中には前記第九ギア60と噛合係合接続される第十ギア62が設置され、前記第十ギア62の軸心のところには前記第二回転キャビティ45の中に延伸する第九回転軸64が固定接続され、前記第九回転軸64の下端には左端が前記第四ギア41と噛合係合接続される第十一ギア63が固定接続される。
【００１８】
本装置は作動する時、物品を第四凹溝29の中に置き、第三モータ31を起動し、第三モータ31がリードスクリュー32を動かして回転させ、リードスクリュー32が回転して第四スライダ33を動かして相互に近接させ、第四スライダ33が固定クランプブロック34を動かして接近させて物品をきつく挟んで固定させ、第二モータ39を起動し、第二モータ39が第四回転軸40を動かして回転させ、第四回転軸40が第四ギア41を動かして回転させ、第四ギア41が第十一ギア63を動かして回転させ、前記第十一ギア63が第九回転軸64を動かして回転させ、第九回転軸64が第十ギア62を動かして回転させ、第十ギア62が第九ギア60を動かして回転させ、第九ギア60が第八回転軸57を動かして回転させ、第八回転軸57が第一作業ブロック28を動かして回転させ、これにより第一スライダ36が360度で角度の調整ができ、高さが十分でないと、第一モータ12を起動し、第一モータ12が左側の第一回転軸13を動かして回転させ、左側の第一回転軸13が左側の第二ギア15を動かして回転させ、左側の第二ギア15が左側の第三ギア16を動かして回転させ、左側の第三ギア16が左側の第二回転軸17を動かして回転させ、左側の第二回転軸17が右側の第二回転軸17を動かして回転させ、右側の第二回転軸17が右側の第三ギア16を動かして回転させ、右側の第三ギア16が右側の第二ギア15を動かして回転させ、第二ギア15が回転して第一スリーブ20を動かして回転させ、第一スリーブ20が回転してボルト22を動かして下へスライドさせ、ボルト22が第一凹溝24とストッパ26とを動かして下へスライドさせて装置を突き上げ、装置を上昇させ、第二凹溝27が下へスライドして第三スライダ44を動かして下へスライドさせ、第三スライダ44が下へスライドして第二スライダ38を動かして下へスライドさせ、第二スライダ38が下へスライドして第四ギア41を動かして下へスライドさせ、第四ギア41が一番下端のところまで着く時、第四ギア41と第五ギア42とが噛み合い、第二モータ39を起動し、第二モータ39が第四回転軸40を動かして回転させ、第四回転軸40が第四ギア41を動かして回転させ、第四ギア41が第五ギア42を動かして回転させ、第五ギア42が第五回転軸48を動かして回転させ、第五回転軸48が第六ギア49を動かして回転させ、第六ギア49が第七ギア50を動かして回転させ、第七ギア50が第六回転軸52を動かして回転させ、第六回転軸52が第七回転軸54を動かして回転させ、第七回転軸54が第八ギア55を動かして回転させ、第八ギア55が回転して第一スライダ36を動かして上へスライドさせ、第一スライダ36が第一作業ブロック28を動かして上へスライドさせて継続して装置を突き上げ、この時角度が適切でないと、手動で第二次の調整ができ、本装置を復位させようとすると、まず第二モータ39を起動して第一作業ブロック28を下へスライドして復位させ、それから第一モータ12を起動してボルト22を復位させ、ボルト22が復位した後第四ギア41と第十ギア62とが噛み合う状態に戻り、第二モータ39を起動して第一作業ブロック28を最初の角度に戻せばいい。
【００１９】
本発明の有益効果は：本発明は構造が簡単で、操作が便利で、使用と組立に際してはかなり簡易で霊活であり、ねじを使わなくても固定でき、且つ需要に応じて高さを調整でき、360度で角度を調整でき、本装置は組み立てる時にあり得る困りを考慮するし、使用する時の便利さも実現する。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。